(57)【要約】【課題】宇宙の中心のブラックホールはどのように回転しているか。ビッグバンのおきた点から、現代宇宙の中心のブラックホールが存在する点までの距離はいくらか。半径、5.669×109光年の円に存在する泡構造は何個か。もし、宇宙の原子数が、1.0765×1079個＝8.975×1021太陽質量である場合、円は何段であるか。【解決手段】宇宙の中心のブラックホールは走りながら一定方向に回転している。ビッグバンのおきた点をｃとする。宇宙の中心のブラックホールは現代、ｄ点に存在する。地球であるe点は、宇宙の中心のブラックホールから軌道半径5.669×109光年です。e点からc点までは142×108光年です。sinθ＝5.669×109光年÷(142.066×108光年)＝0.3988。θ＝23.4875度。ｃos23.4875=0.9716。ｃ点とｄ点の間の距離は、0.9716×142.066×108光年＝130.360×108光年、です。ｒに120個。円πｒ2に4.5216×104個です。円は3.388段です。【選択図】図１
2015220895.tif 000002
【特許請求の範囲】
【請求項１】
太陽圏は円型です。銀河系は円形です。何が円形にしているのか。
円形になる原理は、軌道が円形にできているからです。軌道が円形にしている。
【請求項２】
どうして軌道が円形にできるのか。何が軌道を円形にしているのか。
軌道の中心に存在するものが軌道を円形にしている。
【請求項３】
軌道を円形にしている軌道の中心に存在するものはなにか。
軌道を円形にしている軌道の中心に存在するものは、軌道を作る事ができる物です。
【請求項４】
軌道とはなにか。
軌道とは、電磁気の通る道です。
【請求項５】
軌道を作るものとは何か。
軌道を作るものとは、電磁気を発することができるものです。
【請求項６】
電磁気を発することができるものは円形の軌道を作れるか。
例えば、原子の陽子は電磁気を作っています。
陽子はランダムに回転しますので、軌道はランダムにできます。
それで、ランダムに回転するものは軌道を円形にできません。
【請求項７】
軌道を円形にしている軌道の中心に存在するものの必要条件は何か。
軌道を円形にしている軌道の中心に存在するものの必要条件は電磁気を作るもので、一定方向に回転するものであることです。
【請求項８】
宇宙は軌道を円形に作り回転しています。この事において必要条件は何か。
軌道の中心に電磁気を作るもので一定方向に回転するものが存在することです。
【請求項９】
もし、宇宙の中心のブラックホールがランダムに回転しているとするならば、宇宙の状態はどのようでなければならないか。
もし、宇宙の中心のブラックホールがランダムに回転しているとするならば、宇宙の軌道はランダムにできる。宇宙の状態は原子の電子のようにランダムに回転しなければならない。
【請求項１０】
もし、宇宙の中心のブラックホールが同じ場所にいて、同じ方向に回転しているとするならば、宇宙の状態はどのようでなければならないか。
もし、宇宙の中心のブラックホールが同じ場所にいて、同じ方向に回転しているとするならば、宇宙の状態は銀河系のようでなければならない。
【請求項１１】
宇宙は原子の電子のようにランダムに回転していない。そして、宇宙は銀河系のような状態でない。この事から何が判明できるか。
この事から、宇宙の中心のブラックホールはランダムに回転していない。
宇宙の中心のブラックホールが同じ場所にいて、同じ方向に回転していないことが理解できる。
【請求項１２】
ビッグバンの痕にできた宇宙の中心のブラックホールはどのようになっているか。
星が爆発後、その痕に白色矮星や中性子星やブラックホールができる。同じように、ビッグバンの痕にはブラックホールができる。これが宇宙の中心のブラックホールです。
宇宙の中心のブラックホールは走っている。回転しながら走っている。回転しながら走り、宇宙の軌道を作っている。
宇宙の中心のブラックホールが走る方向はビッグバンより遠く離れる方向です。
宇宙の中心のブラックホールが走る方向はビッグバンの方向に垂直に回転している。
この事から宇宙を考える。
【請求項１３】
ビッグバンのおきた点から、現代宇宙の中心のブラックホールが存在する点までの距離はいくらか。
ビッグバンのおきた点をｃとし、ここに宇宙の中心のブラックホールができた。
宇宙の中心のブラックホールは走り出した。ある一定の方向に走り出した。そして現代、ｄ点に存在する。ｄ点で軌道を作っている。
銀河系の速度は3×102Kmで、アンドロメダ銀河と同じ泡構造に属する。この泡構造が存在する軌道半径は、宇宙の中心のブラックホールから半径5.669×109光年です。
それで、地球であるe点は宇宙の中心のブラックホールから軌道半径5.669×109光年です。
U1.27の最大の長さは40.4×108光年である。この長さが180度である場合、地球からビッグバンまでの距離は、142.066×１08光年です。
それで、sinθ＝5.669×109光年÷(142.066×108光年)＝0.3988
・θは何度か。
sin23°＝0.391。sin24°=0.407。
sin24°-  sin23°=0.407-0.391=0.016.
sin23.a°とする。0.016×a=0.3988-0.391=0.0078
a=0.0078÷0.016＝0.4875
よって、sin23.4875°
sinθ=0.3988
θ=23.4875°
θは23.4875°です。
・ビッグバンのおきた点から、現代宇宙の中心のブラックホールが存在する点までの距離はいくらか。
ビッグバンのおきた点から、現代宇宙の中心のブラックホールが存在する点までの距離をｘ光年とする。
cos23°=0.921,cos24°=0.914。
cos23°-cos24°=0.921-0.914＝0.007
0.007×0.4875=0.0034
cos23.4875°=0.921-0.0034=0.9176
0.9176=x÷(142.066×108光年)
ｘ＝0.9176×142.066×108光年＝130.360×108光年
ビッグバンのおきた点から、現代宇宙の中心のブラックホールが存在する点までの距離は、130.360×108光年です。
このことを表に示す。
表９
2015220895.tif 000011
【請求項１４】
宇宙がたどってきた歴史の図はどのようであるか。
2013年2月16日に提出した、特願2013−028476、「宇宙の形２」に於いて、宇宙が存在してから現代までの宇宙がたどってきた姿を図に示した。
宇宙図の歴史はこのようです。
この図において、宇宙の中心のブラックホールから最も離れている軌道半径(泡構造の速度が3×102Km)に地球が存在する。
θ＝23.4875度に地球は存在する。
【請求項１５】
銀河系とアンドロメダ銀河の速度を3×102Kmとし同じ泡構造に属するとして、宇宙の中央のブラックホールからの距離を5.669×109光年とした。これ以上遅い速度の泡構造はどの位置に存在するか。
これ以上遅い速度の軌道半径は、宇宙の中央のブラックホールから5.669×109光年以上離れているので、θ＝23.4875度以上の角度に存在する。
θ＝23.4875度以上の角度の軌道上に存在する。
【請求項１６】
宇宙がたどってきた歴史の図で何が理解できるか。
宇宙がたどってきた歴史の図で理解できることは、地球が存在している所は宇宙の端の軌道であることです。
勿論、銀河系やアンドロメダ銀河が属する泡構造より遠い軌道半径に存在する泡構造もあります。その泡構造の回転速度はもっと遅いです。
宇宙の中心のブラックホールから離れた軌道半径の泡構造ほど泡構造の中心のブラックホールの回転速度(宇宙の中心のブラックホールを回転する速度)は遅いからです。
【請求項１７】
地球が存在している所は宇宙の端の軌道であることから何が考えられるか。
地球が存在している所は宇宙の端の方軌道であることから3つの方向を観察できる。
１つはビッグバンが起きた方向です。ビッグバンが起きた点は142×108光年の距離に存在します。U1.27大クエーサー群の方向に存在します。
２つは宇宙の中心のブラックホールの方向です。現代、宇宙の中心のブラックホールは5.669×109光年の距離に存在します。
３つは軌道半径が地球よりもっと大きい方向を観察できます。
【請求項１８】
半径、5.669×109光年の円に存在する泡構造は何個か。
2013年2月15日に提出した、特願2013−027190、「宇宙の形」の表3から計算する。
宇宙の中心のブラックホールからジェットが噴出したのは10-17m時代であり、泡構造の中心のブラックホールを作った。
5×10-17m時代、泡構造の中心のブラックホールからジェットが噴出し、泡構造を作った。
この事を表に追加する。
半円rに存在する泡構造数＝軌道の間隔÷泡構造直径
円に存在する泡構造数＝πｒ2
5×106光年から1.25×10７光年までの間には、直径5×105光年の泡構造が、(1.25×10７光年-5×106光年)÷(5×105光年)＝15個存在します。
1.25×10７光年から2.5×10７光年までの間には、直径106光年の泡構造が、(2.5×10７光年-1.25×10７光年)÷106光年＝12.5個存在します。
2.5×10７光年から5×10７光年までの間には、直径2×106光年の泡構造が、(5×10７光年-2.5×10７光年)÷(2×106光年)＝12.5個存在します。
5×10７光年から1.25×108光年までの間には、直径5×106光年の泡構造が、(1.25×108光年-5×10７光年)÷(5×106光年)＝15個存在します。
1.25×108光年から2.5×108光年までの間には、直径10７光年の泡構造が、(2.5×108光年-1.25×108光年)÷(10７光年)＝12.5個存在します。
2.5×108光年から5×108光年までの間には、直径2×10７光年の泡構造が、(5×108光年-2.5×108光年)÷(2×10７光年)＝12.5個存在します。
5×108光年から1.25×109光年までの間には、直径5×10７光年の泡構造が、(1.25×109光年-5×108光年)÷(5×10７光年)＝15個存在します。
1.25×109光年から2.5×109光年までの間には、直径108光年の泡構造が、(2.5×109光年-1.25×109光年)÷(108光年)＝12.5個存在します。
2.5×109光年から5×109光年までの間には、直径2×108光年の泡構造が、(5×109光年-2.5×109光年)÷(2×108光年)＝12.5個存在します。
それで、宇宙の中心のブラックホールからから5×109光年までの間には、泡構造が、12.5個×6＋15個×3＝120個、です。
半径、5.669×109光年の円に存在する泡構造数は、πｒ2＝3.14×(120)2＝4.5216×104個、です。
まとめて表に示す。
表１０
2015220895.tif 000012
【請求項１９】
もし、宇宙の原子数が、1.0765×1079個＝8.975×1021太陽質量である場合、１段の円に、4.5216×104個の泡構造を持つ円は何段であるか。
私は、2009年9月19日に提出した、特願2009−218192、に於いて、ビッグバンの以前の電子のラブのエネルギーがaJである場合、宇宙の原子数は、1.0765×1079×a6個である。ビッグバンの以前の電子のラブのエネルギーが1Jである場合、宇宙の原子数は、1.0765×1079個＝8.975×1021太陽質量である、と記した。
ｘ段であるとする。
１個の泡構造のブラックホールの質量は、6.194×1010太陽質量である。宇宙の中心のブラックホールの質量は2.627×1013太陽質量です。
１太陽質量のブラックホールを作るために必要な質量は、9.458×105倍の質量。
ｘ段×4.5216×104個の泡構造×１個の泡構造のブラックホールの質量は、6.194×1010太陽質量×9.458×105倍の質量＋2.627×1013太陽質量＝8.975×1021太陽質量
ｘ段×2.649×1021太陽質量＋2.627×1013太陽質量＝8.975×1021太陽質量
ｘ段＝8.975×1021太陽質量÷(2.649×1021太陽質量)＝3.388段
よって、もし、宇宙の原子数は、1.0765×1079個＝8.975×1021太陽質量である場合、１段の円に、4.335×104個の泡構造を持つ円は3.533段である。
この事を表に示す。
表１１
2015220895.tif 000013
・この場合の問題点。
これは、宇宙の半径を5×109光年としている。
宇宙の半径が5×109光年より大きければ円に存在する泡構造数は多くなる。
もしかしたら、何重段に重なっているのかもしれない。
【請求項２０】
私は、宇宙の中心のブラックホールから地球までの距離を、銀河系とアンドロメダの速度が3×102Kmであることから、5.669×109光年と考えた。又、U1.27の大クエーサー群のことから、142×108光年と考えた。そして、今回、139×108光年と考えた。宇宙の時代を、電子のラブの公転軌道で表現するとき、どのように表現するべきか。
2014年3月15日に提出した、特願2014−052829、「ブラックホールとブラックホールのジェットが作る軌道と速度」の「請求項２」に次のように記した。
宇宙の中心のブラックホールから地球までの距離を、142×108光年とする。これを10-14m時代の距離とする。10−16m時代、10−17m時代の軌道半径はいくらか。
10-14m時代の軌道半径は142×108光年です。
10-15m時代の軌道半径は14.2×108光年です。
10-16m時代の軌道半径は1.42×108光年です。
10-17m時代の軌道半径は1.42×107光年です。
これを訂正する。
10-14m時代の軌道半径は100×108光年です。1010年代です。
10-15m時代の軌道半径は10×108光年です。109年代です。
10-16m時代の軌道半径は1×108光年です。108年代です。
10-17m時代の軌道半径は1×107光年です。107年代です。
【発明の詳細な説明】
【技術分野】
【０００１】
本発明は、ビッグバンの位置と宇宙の中心のブラックホールの位置と地球の位置に関するものである。
【背景技術】
【０００２】
・2013年2月11日に提出した、特願2013−023929、「宇宙の形と宇宙の直径と宇宙の質量と宇宙の運動と泡宇宙」に於いて、次のように考えた。
「請求項２」  宇宙の中心に、2.627×1013太陽質量のブラックホールが存在しているとすると、速度が3×102Kmになる軌道は半径何Kmの軌道か。宇宙の直径はいくらか。
2.627×1013太陽質量のブラックホールが作る軌道エネルギーの式は、4.827×1027JKm÷距離、です。
距離＝4.827×1027JKm÷速度2＝4.827×1027JKm÷(3×102)2J＝4.827×1027JKm÷(9×104)J＝5.363×1022Km
これは何光年か。
5.363×1022Km÷(9.46×1012Km)＝5.669×109(光年)
よって、速度が3×102Kmになる軌道は半径5.669×109光年です。
「請求項５」  銀河系のすぐ近くにある直径2×108光年ボイドの周囲に存在する銀河系やアンドロメダ銀河の速度が3×102Kmである。ボイドの中央に存在するブラックホールの質量はいくらか。
中央に存在するブラックホールの質量を10nとする。
軌道エネルギー＝5.438×1018＋2n/3JKm÷距離
距離は108光年で、軌道エネルギーは、(3×102)2Jですから、
(3×102)2J＝5.438×1018＋2n/3JKm÷(108×9.46×1012Km)
5.438×1018＋2n/3JKm＝(3×102)2J×(108×9.46×1012Km)
1018＋2n/3JKm＝(3×102)2J×(108×9.46×1012Km)÷5.438＝1.566×1025JKm＝1025.1948JKm 
18＋2n/3=25.1948
2n/3=25.1948-18=7.1948
n＝7.1948×3÷2＝10.792
1010.792＝6.194×1010
よって、中央に存在するブラックホールの質量は6.194×1010太陽質量です。
泡宇宙(ボイド)の半径108光年の速度が3×102Kmである場合の中央に存在するブラックホールの質量は6.194×1010太陽質量です。
「請求項１１」  6.194×1010太陽質量のブラックホールが作る泡宇宙の半径は108光年です。宇宙に、この泡宇宙だけが存在すると仮定すると、宇宙には何個の泡宇宙が存在するか。宇宙全体のブラックホールの質量はいくらか。宇宙全体の質量はいくらか。
・宇宙の半径には何個の泡宇宙が存在するか。
宇宙の半径に存在する泡宇宙の数＝宇宙の半径÷泡宇宙の大きさ＝5.669×109光年÷(2×108光年)＝2.835×10(個)
宇宙の半径には、2.835×10個の泡宇宙が存在する。
・宇宙には何個の泡宇宙が存在するか。
宇宙に存在する泡宇宙の数＝4π÷3×(宇宙の半径に存在する泡宇宙の数)3＝4.187×(2.835×10個)3＝4.187×2.279×104個＝9.540×104個
宇宙には9.540×104個の泡宇宙が存在する。
・宇宙全体のブラックホールの質量はいくらか。
宇宙全体のブラックホールの質量＝泡宇宙の数×1個の泡宇宙のブラックホールの質量＝9.540×104個×6.194×1010太陽質量＝5.909×1015太陽質量
宇宙全体のブラックホール質量は5.909×1015太陽質量です。
・宇宙全体の質量はいくらか、
宇宙全体の質量＝このブラックホールを作るために必要な全体の質量＝9.458×105×5.909×1015太陽質量＝5.589×1021太陽質量
宇宙全体の質量は5.589×1021太陽質量です。
このことを表に示す。
表１
2015220895.tif 000003
・2013年2月15日に提出した、特願2013-027190、「宇宙の形」に於いて、次のように考えた。
「請求項８」  中心のブラックホールが移動せず、同じところに存在し続けている場合、宇宙の形はどのようであるか。それはどのように観察されるか。
宇宙の形は中心のブラックホールを中心とする球形です。
この宇宙の中に、表2と表1の軌道が存在する。いわば、軌道は宇宙のたどってきた足跡を示している。
表２
2015220895.tif 000004
これを図に示す。図は宇宙の軌道を示す。宇宙の断面図です。
「請求項９」  中心のブラックホールがある方向へ向けて移動している場合、宇宙の形はどのようであるか。それはどのように観察されるか。
中心のブラックホールがある方向へ向けて移動した距離が5×109光年以上の場合、ビッグバンの点やインフレーションで拡大した宇宙は、半径5×109光年の軌道の外に現れる。
中心のブラックホールがある方向へ向けて移動した距離が5×109光年以内の場合、ビッグバンの点やインフレーションで拡大した宇宙は、半径5×109光年の軌道のうちに隠れている。その場合、全体の宇宙の形は、半径5×109光年の球体です。
・2013年2月16日に提出した、特願2013-028476、「宇宙の形２」に於いて、次のように考えた。
「請求項３」  回転数が少ないことによって何が解るか。
回転数が少ないことによって、宇宙は扁平になっていないことが理解できる。
「請求項４」  宇宙の形はどのようであるか。
宇宙の中心のブラックホールが回転しながらまっすぐ進んだ場合、宇宙の球体は膨張しながら進む。
進む距離は進む時間に比例するとする。
特願2013−027190の「請求項１３」のように考える。
時間の比は、10−14m時代：10−15m時代：10―16m時代：10−17m時代：10−18m時代：10−19m時代：10−20m時代＝1010年：109年：108年：107年：106年：105年：104年
それで、1010年を10cmとしますと、10 cm：1 cm：１mm：10−1  mm：10−2 mm：10−3  mm：10−4 mm、です。
空間の比は、10−14m時代：10−15m時代：10―16m時代：10−17m時代：10−18m時代：10−19m時代：10−20m時代＝1010光年：109光年：108光年：107光年：106光年：105光年：104光年、です。
それで、1010光年を10 cmとしますと、10 cm：１cm：１mm：10−1 mm：10−2  mm：10−3 mm：10−4  mm、です。
中心のブラックホールが進んだ距離を直線とする。
10−17m時代の宇宙、10−18m時代の宇宙、10−19m時代の宇宙、10−20m時代の宇宙をまとめて示す。
10−17m時代の宇宙、10−18m時代の宇宙、10−19m時代の宇宙、10−20m時代の宇宙ができる。
10−17m時代の宇宙、10−18m時代の宇宙、10−19m時代の宇宙、10−20m時代の宇宙は、0.05555mm進み直径0.1111mmの宇宙になる。
10―16m時代の宇宙ができる。
それから、10―16m時代の宇宙は0.51mm進み、直径1mmの宇宙になる。
10―15m時代の宇宙ができる。
それから、10−15m時代の宇宙は、0.5cm進み、直径1cmの宇宙になる。
1014m時代の宇宙ができる。
まず1.25×109光年の宇宙ができる。
1.25cm進んで、半径1.25cmの宇宙ができる。
2.5×109光年の宇宙ができる。
それから、2.5cm進み、半径2.5cmの宇宙ができる。
5×109光年の宇宙ができる。
それから、5cm進み、半径5cmの宇宙ができる。
これを図示する。
これは、1010光年：10cm＝1010×9.46×1012×103×102：10＝9.46×1026：１、の縮図です。
・2013年４月15日に提出した、特願2013−084552、「宇宙の形３」に於いて次のように記した。
「請求項６」  実際、泡宇宙はどのように回転しているか。
実際、泡宇宙は上記に記したたくさんの大きさの泡宇宙が混じり合って回転している。
泡宇宙は、泡宇宙の軌道を泡宇宙の速度で回転している。それで、泡宇宙に存在する銀河は衝突することは少ない。
泡宇宙は中心のブラックホールが存在する宇宙の軌道半径の速度で宇宙を回転している。
同じ宇宙の軌道半径において、各々の泡宇宙の中心のブラックホールは同じ速度で回転しているので、泡宇宙と泡宇宙は衝突することは少ない。
「請求項７」  宇宙の軌道半径は何回転したか。
宇宙の軌道半径が回転した回転数
表３
2015220895.tif 000005
「請求項８」  泡宇宙は何回転したか。
中心が6.194×1010太陽質量の泡宇宙の回転数  
表４
2015220895.tif 000006
これの事から理解できる事。
1．宇宙の軌道半径の回転数は約10−4回転から10−3回転です。
2．泡宇宙の回転数は約10−2回転から10−1回転です。
3．泡宇宙の回転数は、宇宙の軌道半径の回転数の約100倍です。。
それなのに、泡宇宙の形は円形になっていない。シャボン玉のように球体です。
4．宇宙の軌道半径の回転数は泡宇宙の回転数の1/100です。それで、宇宙の形は扁平になっていない、球形になっている。
5．大き泡宇宙ほど回転数は少ない。
6．小さな泡宇宙ほど回転数は多い。
7．宇宙の場合も、宇宙の軌道半径が大きくなるほど回転数は少ない。
8．宇宙の場合も回転数が少ないので、球形です。
9．宇宙の場合は、10―16m時代は“ブラックホールの素子の時代”であり、超過密空間ですから、これ以前の宇宙の形は球形であり、回転数は考慮する必要はない
この事は、特願2013−028476「宇宙の形2」の「請求項2」に記したので、参考のためここに再度記す。
表５
2015220895.tif 000007
・2013年10月15日に提出した、特願2013−214732、「大クエーサー群のU1.27とスローン・グレートウオールとCfA2グレートウオ―ル」に次のように記した。
「請求項１５」  U1.27の最大の長さは40.4×108光年である。この長さが180度である場合、宇宙の半径はいくらか。
宇宙の形は球形です。しかし、観察可能圏は約この半分です。この事については、2013年4月15日に提出した、特願2013−084552の「請求項9」に記した。
U1.27の最大の長さは40.4×108光年である。この長さが180度である場合、観察可能圏です。
それで、U1.27の最大の長さが180度となる宇宙の軌道半径を求める。
・U1.27の長さは軌道の円周の何倍か。
U1.27の長さは軌道の円周の倍数＝180度÷360度＝0.5(倍)
・軌道円周はいくらか。
軌道の円周＝U1.27の長さ÷0.5＝40.4×108光年÷0.5＝80.8×108光年
・U1.27が存在する軌道半径はいくらか。
2πｒ＝80.8×108光年
r＝80.8×108光年÷2π＝12.866×108光年。
・地球が存在する軌道半径はいくらか。
U1.27は、地球から129.2×１08光年の距離にあるから、
地球が存在する軌道半径＝U1.27が存在する軌道半径＋地球からの距離＝12.866×108光年＋129.2×１08光年＝142.066×１08光年。
U1.27の最大の長さは40.4×108光年である。この長さが180度である場合、宇宙の軌道半径は142.066×１08光年です。
・2009年9月19日に提出した、特願2009−218192、に於いて、ビッグバンの以前の電子のラブのエネルギーがaJである場合、宇宙の原子数は、1.0765×1079×a6個である。ビッグバンの以前の電子のラブのエネルギーが1Jである場合、宇宙の原子数は、1.0765×1079個＝8.975×1021太陽質量である、と記した。
【先行技術文献】
【特許文献】
【０００３】
【特許文献１】特願2009−218192
【特許文献２】特願2013−023929
【特許文献３】特願2013−027190
【特許文献４】特願2013−028476
【特許文献５】特願2013−084552
【特許文献６】特願2013−214732
【特許文献６】特願2014−052829
【発明の概要】
【発明が解決しようとする課題】
【０００４】
解決しようとする問題点を示す。
従来、私は2013年4月15日に提出した、特願2013−084552、「宇宙の形３」に於いて、宇宙の端の軌道の回転数を求めた。それは、約10-3回〜10-４回です。
それで、回転数が少ないので、宇宙は球体であると考えた。
しかし、軌道は中心のブラックホールが作るものであり、その軌道上に泡構造が存在する。はたして、宇宙の中心のブラックホールはどのように回転しているか。
現代の宇宙を作るためには、宇宙の中心のブラックホールはどのように回転していなければならないか。
この問題を解決するために、「請求項１」から「請求項12」までの問題を解く。
１３．ビッグバンのおきた点から、現代宇宙の中心のブラックホールが存在する点までの距離はいくらか。
１４．宇宙がたどってきた歴史の図はどのようであるか。
１５．銀河系とアンドロメダ銀河の速度を3×102Kmとして、宇宙の中央のブラックホールからの距離を5.669×109光年とした。これ以上遅い速度の泡構造はどの位置に存在するか。
１６．宇宙がたどってきた歴史の図で何が理解できるか
１７．地球が存在している所は宇宙の端の軌道であることから何が考えられるか。
１８．半径、5.669×109光年の円に存在する泡構造は何個か。
１９．もし、宇宙の原子数が、1.0765×1079個＝8.975×1021太陽質量である場合、１段の円に、5.307×104個の泡構造を持つ円は何段であるか。
２０．私は、宇宙の中心のブラックホールから地球までの距離を、銀河系とアンドロメダの速度が3×102Kmであることから、5.669×109光年と考えた。又、U1.27の大クエーサー群のことから、142×108光年と考えた。そして、今回、139×108光年と考えた。宇宙の時代を、電子のラブの公転軌道で表現するとき、どのように表現するべきか。
【課題を解決するための手段】
【０００５】
１．太陽圏は円型です。銀河系は円形です。何が円形にしているのか。
２．どうして軌道が円形にできるのか。何が軌道を円形にしているのか。
３．軌道を円形にしている軌道の中心に存在するものはなにか。
４．軌道とはなにか。
５．軌道を作るものとは何か。
６．電磁気を発することができるものは円形の軌道を作れるか。
７．軌道を円形にしている軌道の中心に存在するものの必要条件は何か。
８．宇宙は軌道を円形に作り回転しています。この事において必要条件は何か。
９．もし、宇宙の中心のブラックホールがランダムに回転しているとするならば、宇宙の状態はどのようでなければならないか。
１０．もし、宇宙の中心のブラックホールが同じ場所にいて、同じ方向に回転しているとするならば、宇宙の状態はどのようでなければならないか。
１１．宇宙は原子の電子のようにランダムに回転していない。そして、宇宙は銀河系のような状態でない。この事から何が判明できるか。
１２．ビッグバンの痕にできた宇宙の中心のブラックホールはどのようになっているか。
１３．それで、sinθ＝5.669×109光年÷(142.066×108光年)＝0.3988
θ＝23.4875度
１４．2013年2月16日に提出した、特願2013−028476、「宇宙の形２」に於いて、宇宙が存在してから現代までの宇宙がたどってきた歴史の図を示した。
宇宙がたどってきた歴史の図はこのようです。
１５．これ以上遅い速度の軌道半径は、宇宙の中央のブラックホールから5.669×109光年以上離れているので、θ＝23.4875度以上の角度に存在する。
１６．宇宙がたどってきた歴史の図で理解できることは、地球が存在している所はθ＝23.4875度の角度であることです。
１７．地球が存在している所は宇宙の端の軌道であることから3つの方向を観察できる。
１８．2013年2月15日に提出した、特願2013−027190、「宇宙の形」の表3から計算する。
半円rに存在する泡構造数＝軌道の間隔÷泡構造直径
円に存在する泡構造数＝πｒ2
１９．１個の泡構造のブラックホールの質量は、6.194×1010太陽質量である。宇宙の中心のブラックホールの質量は2.627×1013太陽質量です。
１太陽質量のブラックホールを作るために必要な質量は、9.458×105倍の質量。
ｘ段であるとする。
ｘ段×4.5216×104個の泡構造×6.194×1010太陽質量×9.458×105倍の質量＋2.627×1013太陽質量＝8.975×1021太陽質量
ｘ段×2.649×1021太陽質量＋2.627×1013太陽質量＝8.975×1021太陽質量
ｘ段＝8.975×1021太陽質量÷(2.649×1021太陽質量)＝3.388段
２０．宇宙の中心のブラックホールから地球までの距離に関係なく一定にする。
【発明の効果】
【０００６】
１．円形になる原理は、軌道が円形にできているからです。軌道が円形にしている。
２．軌道の中心に存在するものが軌道を円形にしている。
３．軌道を円形にしている軌道の中心に存在するものは、軌道を作る事ができる物です。
４．軌道とは、電磁気の通る道です。
５．軌道を作るものとは、電磁気を発することができるものです。
６．ランダムに回転するものの軌道は円形にできません。
７．軌道を円形にしている軌道の中心に存在するものの必要条件は一定方向に回転するものであることです。
８．軌道の中心に電磁気を作るもので一定方向に回転するものが存在することです。
９．もし、宇宙の中心のブラックホールがランダムに回転しているとするならば、宇宙の軌道はランダムにできる。宇宙の状態は原子の電子のようにランダムに回転しなければならない。
１０．もし、宇宙の中心のブラックホールが同じ場所にいて、同じ方向に回転しているとするならば、宇宙の状態は銀河系のようでなければならない。
１１．この事から、宇宙の中心のブラックホールはランダムに回転していない。
宇宙の中心のブラックホールが同じ場所にいて、同じ方向に回転していないことが理解できる。
１２．宇宙の中心のブラックホールは走っている。回転しながら走っている。回転しながら走り、宇宙の軌道を作っている。この事から宇宙を考える。
１３．ｃos23.4875=0.9176
ｃ点とｄ点の間の距離は、0.9176×142.066×109光年＝130.360×108光年、です。
１４．この図において、宇宙の中心のブラックホールから最も離れている軌道半径に地球が存在する。
θ＝23.4875度に地球は存在する。
１５．θ＝23.4875度以上の角度の軌道上に存在する。
１６．宇宙の中心のブラックホールから離れた軌道半径の泡構造ほど泡構造の中心のブラックホールの回転速度(宇宙の中心のブラックホールを回転する速度)は遅いからです。
１７．１つはビッグバンが起きた方向です。ビッグバンが起きた点は142×108光年の距離に存在します。U1.27大クエーサー群の方向に存在します。
２つは宇宙の中心のブラックホールの方向です。現代、宇宙の中心のブラックホールは地球から5.669×109光年の距離に存在します。
３つは軌道半径が地球よりもっと大きい方向を観察できます。
１８．宇宙の中心のブラックホールからから5×109光年までの間には、泡構造が、12.5個×6＋15個×3＝120個、です。
半径、5.669×109光年の円に存在する泡構造数は、πｒ2＝3.14×(120)2＝4.5216×104個、です。
１９．もし、宇宙の原子数は、1.0765×1079個＝8.975×1021太陽質量である場合、１段の円に、4.5216×104個の泡構造を持つ円は3.388段である。
２０．10-14m時代の軌道半径は100×108光年です。1010年代です。
10-15m時代の軌道半径は10×108光年です。109年代です。
10-16m時代の軌道半径は1×108光年です。108年代です。
10-17m時代の軌道半径は1×107光年です。107年代です。
【図面の簡単な説明】
【０００７】
【図１】図１はビッグバンのおきた点から、現代宇宙の中心のブラックホールが存在する点までの距離はいくらかを示す。ビッグバンのおきた点をｃとし、ここに宇宙の中心のブラックホールができた。宇宙の中心のブラックホールは走り出した。ある一定の方向に走り出した。そして現代、ｄ点に存在する。ｄ点で軌道を作っている。銀河系の速度は3×102Kmで、アンドロメダ銀河と同じ泡構造に属する。この泡構造が存在する軌道半径は、宇宙の中心のブラックホールから半径5.669×109光年です。それで、地球であるe点は宇宙の中心のブラックホールから軌道半径5.669×109光年です。U1.27の最大の長さは40.4×108光年である。この長さが180度である場合、ビッグバンから地球までの距離は、142.066×１08光年です。それで、sinθ＝5.669×109光年÷(142.066×108光年)＝0.3988・θは何度か。sin23°＝0.391、sin24°=0.407。sin24°-  sin23°=0.407-0.391=0.016.sin23.a°とする。0.016×a=0.3988-0.391=0.0078a=0.0078÷0.016＝0.4875よって、sin23.4875°sinθ=0.3988θ=23.4875°θは23.4875°です。・ビッグバンのおきた点から、現代宇宙の中心のブラックホールが存在する点までの距離はいくらか。ビッグバンのおきた点から、現代宇宙の中心のブラックホールが存在する点までの距離をｘ光年とする。cos23°=0.921、cos24°=0.914。cos23°-cos24°=0.921-0.914＝0.0070.007×0.4875=0.0034cos23.4875°=0.921-0.0034=0.91760.9176=x÷(142.066×108光年)ｘ＝0.9176×142.066×108光年＝130.360×108光年ビッグバンのおきた点から、現代宇宙の中心のブラックホールが存在する点までの距離は、130.360×108光年です。
【図２】図２は現代の宇宙の中心のブラックホールが作る軌道半径5×109光年の円で、泡構造の数を示す。軌道半径5×106光年から軌道半径5×109光年までの間には、泡構造が、12.5個×6＋15個×3＝120個、です。半径、5.669×109光年の円に存在する泡構造数は、πｒ2＝3.14×(120)2＝4.5216×104個、です。5×106光年から1.25×10７光年までの軌道半径には、直径2×105光年の泡構造が、(1.25×10７光年-5×106光年)÷(5×105光年)＝15個存在します。1.25×10７光年から2.5×10７光年までの間には、直径106光年の泡構造が、(2.5×10７光年-1.25×10７光年)÷106光年＝12.5個存在します。2.5×10７光年から5×10７光年までの間には、直径2×106光年の泡構造が、(5×10７光年-2.5×10７光年)÷(2×106光年)＝12.5個存在します。5×10７光年から1.25×108光年までの間には、直径5×106光年の泡構造が、(1.25×108光年-5×10７光年)÷(5×106光年)＝15個存在します。1.25×108光年から2.5×108光年までの間には、直径10７光年の泡構造が、(2.5×108光年-1.25×108光年)÷(10７光年)＝12.5個存在します。2.5×108光年から5×108光年までの間には、直径2×10７光年の泡構造が、(5×108光年-2.5×108光年)÷(2×10７光年)＝12.5個存在します。5×108光年から1.25×109光年までの間には、直径5×10７光年の泡構造が、(1.25×109光年-5×108光年)÷(5×10７光年)＝15個存在します。1.25×109光年から2.5×109光年までの間には、直径108光年の泡構造が、(2.5×109光年-1.25×109光年)÷(108光年)＝12.5個存在します。2.5×109光年から5×109光年までの間には、直径2×108光年の泡構造が、(5×109光年-2.5×109光年)÷(2×108光年)＝12.5個存在します。それで、宇宙の中心のブラックホールからから5×109光年までの間には、泡構造が、12.5個×6＋15個×3＝120個、です。半径、5.669×109光年の円に存在する泡構造数は、πｒ2＝3.14×(120)2＝4.5216×104個、です
【図３】図３は2013年2月16日に提出した、特願2013−028476、「宇宙の形２」の図面です。          図３は宇宙の側面図ただし、宇宙が出来ていく状態をしめす。時間の比は、10−14m時代：10−15m時代：10―16m時代：10−17m時代：10−18m時代：10−19m時代：10−20m時代＝1010年：109年：108年：107年：106年：105年：104年それで、1010年を10cmとしますと、10 cm：1 cm：１mm：10−1  mm：10−2 mm：10−3  mm：10−4 mm、です。空間の比は、10−14m時代：10−15m時代：10―16m時代：10−17m時代：10−18m時代：10−19m時代：10−20m時代＝1010光年：109光年：108光年：107光年：106光年：105光年：104光年、です。それで、1010光年を10 cmとしますと、10 cm：１cm：１mm：10−1 mm：10−2  mm：10−3 mm：10−4  mm、です。中心のブラックホールが進んだ距離を直線とする。10−17m時代の宇宙、10−18m時代の宇宙、10−19m時代の宇宙、10−20m時代の宇宙をまとめて示す。10−17m時代の宇宙、10−18m時代の宇宙、10−19m時代の宇宙、10−20m時代の宇宙ができる。10−17m時代の宇宙、10−18m時代の宇宙、10−19m時代の宇宙、10−20m時代の宇宙は、0.05555mm進み、直径0.1111mmの宇宙になる。10―16m時代の宇宙ができる。それから、10―16m時代の宇宙は、0.5mm進み、直径1mmの宇宙になる。10―15m時代の宇宙ができる。それから、10−15m時代の宇宙は、0.5cm進み、直径1cmの宇宙になる。10−14m時代の宇宙ができる。まず1.25×109光年の宇宙ができる。1.25cm進んで、半径1.25cmの宇宙ができる。2.5×109光年の宇宙ができる。それから、2.5cm進み、半径2.5cmの宇宙ができる。5×109光年の宇宙ができる。それから、5cm進み、半径5cmの宇宙ができる。これは、1010光年：10cm＝1010×9.46×1012×103×102：10＝9.46×1026：１、の縮図です。
【発明を実施するための形態】
【０００８】
１．    太陽圏は円型です。銀河系は円形です。何が円形にしているのか。
円形になる原理は、軌道が円形にできているからです。軌道が円形にしている。
２．    どうして軌道が円形にできるのか。何が軌道を円形にしているのか。
軌道の中心に存在するものが軌道を円形にしている。
３．    軌道を円形にしている軌道の中心に存在するものはなにか。
軌道を円形にしている軌道の中心に存在するものは、軌道を作る事ができる物です。
４．    軌道とはなにか。
軌道とは、電磁気の通る道です。
５．    軌道を作るものとは何か。
軌道を作るものとは、電磁気を発することができるものです。
６．    電磁気を発することができるものは円形の軌道を作れるか。
例えば、原子の陽子は電磁気を作っています。
陽子はランダムに回転しますので、軌道はランダムにできます。
それで、ランダムに回転するものは軌道を円形にできません。
７．    軌道を円形にしている軌道の中心に存在するものの必要条件は何か。
軌道を円形にしている軌道の中心に存在するものの必要条件は電磁気を作るもので、一定方向に回転するものであることです。
８．    宇宙は軌道を円形に作り回転しています。この事において必要条件は何か。
軌道の中心に電磁気を作るもので一定方向に回転するものが存在することです。
９．    もし、宇宙の中心のブラックホールがランダムに回転しているとするならば、宇宙の状態はどのようでなければならないか。
もし、宇宙の中心のブラックホールがランダムに回転しているとするならば、宇宙の軌道はランダムにできる。宇宙の状態は原子の電子のようにランダムに回転しなければならない。
１０．    もし、宇宙の中心のブラックホールが同じ場所にいて、同じ方向に回転しているとするならば、宇宙の状態はどのようでなければならないか。
もし、宇宙の中心のブラックホールが同じ場所にいて、同じ方向に回転しているとするならば、宇宙の状態は銀河系のようでなければならない。
１１．    宇宙は原子の電子のようにランダムに回転していない。そして、宇宙は銀河系のような状態でない。この事から何が判明できるか。
この事から、宇宙の中心のブラックホールはランダムに回転していない。
宇宙の中心のブラックホールが同じ場所にいて、同じ方向に回転していないことが理解できる。
１２．    ビッグバンの痕にできた宇宙の中心のブラックホールはどのようになっているか。
星が爆発後、その痕に白色矮星や中性子星やブラックホールができる。同じように、ビッグバンの痕にはブラックホールができる。これが宇宙の中心のブラックホールです。
宇宙の中心のブラックホールは走っている。回転しながら走っている。回転しながら走り、宇宙の軌道を作っている。
宇宙の中心のブラックホールが走る方向はビッグバンより遠く離れる方向です。
宇宙の中心のブラックホールが走る方向はビッグバンの方向に垂直に回転している。
この事から宇宙を考える。
１３．    ビッグバンのおきた点から、現代宇宙の中心のブラックホールが存在する点までの距離はいくらか。
ビッグバンのおきた点をｃとし、ここに宇宙の中心のブラックホールができた。
宇宙の中心のブラックホールは走り出した。ある一定の方向に走り出した。そして現代、ｄ点に存在する。ｄ点で軌道を作っている。
銀河系の速度は3×102Kmで、アンドロメダ銀河と同じ泡構造に属する。この泡構造が存在する軌道半径は、宇宙の中心のブラックホールから半径5.669×109光年です。
それで、地球であるe点は宇宙の中心のブラックホールから軌道半径5.669×109光年です。
U1.27の最大の長さは40.4×108光年である。この長さが180度である場合、地球からビッグバンまでの距離は、142.066×１08光年です。
それで、sinθ＝5.669×109光年÷(142.066×108光年)＝0.3988
・θは何度か。
sin23°＝0.391。sin24°=0.407。
sin24°-  sin23°=0.407-0.391=0.016.
sin23.a°とする。0.016×a=0.3988-0.391=0.0078
a=0.0078÷0.016＝0.4875
よって、sin23.4875°
sinθ=0.3988
θ=23.4875°
θは23.4875°です。
・ビッグバンのおきた点から、現代宇宙の中心のブラックホールが存在する点までの距離はいくらか。
ビッグバンのおきた点から、現代宇宙の中心のブラックホールが存在する点までの距離をｘ光年とする。
cos23°=0.921,cos24°=0.914。
cos23°-cos24°=0.921-0.914＝0.007
0.007×0.4875=0.0034
cos23.4875°=0.921-0.0034=0.9176
0.9176=x÷(142.066×108光年)
ｘ＝0.9176×142.066×108光年＝130.360×108光年
ビッグバンのおきた点から、現代宇宙の中心のブラックホールが存在する点までの距離は、130.360×108光年です。
このことを表に示す。
表６
2015220895.tif 000008
１４．    宇宙がたどってきた歴史の図はどのようであるか。
2013年2月16日に提出した、特願2013−028476、「宇宙の形２」に於いて、宇宙が存在してから現代までの宇宙がたどってきた姿を図に示した。
宇宙図の歴史はこのようです。
この図において、宇宙の中心のブラックホールから最も離れている軌道半径(泡構造の速度が3×102Km)に地球が存在する。
θ＝23.4875度に地球は存在する。
１５．    銀河系とアンドロメダ銀河の速度を3×102Kmとし同じ泡構造に属するとして、宇宙の中央のブラックホールからの距離を5.669×109光年とした。これ以上遅い速度の泡構造はどの位置に存在するか。
これ以上遅い速度の軌道半径は、宇宙の中央のブラックホールから5.669×109光年以上離れているので、θ＝23.4875度以上の角度に存在する。
θ＝23.4875度以上の角度の軌道上に存在する。
１６．    宇宙がたどってきた歴史の図で何が理解できるか。
宇宙がたどってきた歴史の図で理解できることは、地球が存在している所は宇宙の端の軌道であることです。
勿論、銀河系やアンドロメダ銀河が属する泡構造より遠い軌道半径に存在する泡構造もあります。その泡構造の回転速度はもっと遅いです。
宇宙の中心のブラックホールから離れた軌道半径の泡構造ほど泡構造の中心のブラックホールの回転速度(宇宙の中心のブラックホールを回転する速度)は遅いからです。
１７．    地球が存在している所は宇宙の端の軌道であることから何が考えられるか。
地球が存在している所は宇宙の端の方軌道であることから3つの方向を観察できる。
１つはビッグバンが起きた方向です。ビッグバンが起きた点は142×108光年の距離に存在します。U1.27大クエーサー群の方向に存在します。
２つは宇宙の中心のブラックホールの方向です。現代、宇宙の中心のブラックホールは5.669×109光年の距離に存在します。
３つは軌道半径が地球よりもっと大きい方向を観察できます。
１８．    半径、5.669×109光年の円に存在する泡構造は何個か。
2013年2月15日に提出した、特願2013−027190、「宇宙の形」の表3から計算する。
宇宙の中心のブラックホールからジェットが噴出したのは10-17m時代であり、泡構造の中心のブラックホールを作った。
5×10-17m時代、泡構造の中心のブラックホールからジェットが噴出し、泡構造を作った。
この事を表に追加する。
半円rに存在する泡構造数＝軌道の間隔÷泡構造直径
円に存在する泡構造数＝πｒ2
5×106光年から1.25×10７光年までの間には、直径5×105光年の泡構造が、(1.25×10７光年-5×106光年)÷(5×105光年)＝15個存在します。
1.25×10７光年から2.5×10７光年までの間には、直径106光年の泡構造が、(2.5×10７光年-1.25×10７光年)÷106光年＝12.5個存在します。
2.5×10７光年から5×10７光年までの間には、直径2×106光年の泡構造が、(5×10７光年-2.5×10７光年)÷(2×106光年)＝12.5個存在します。
5×10７光年から1.25×108光年までの間には、直径5×106光年の泡構造が、(1.25×108光年-5×10７光年)÷(5×106光年)＝15個存在します。
1.25×108光年から2.5×108光年までの間には、直径10７光年の泡構造が、(2.5×108光年-1.25×108光年)÷(10７光年)＝12.5個存在します。
2.5×108光年から5×108光年までの間には、直径2×10７光年の泡構造が、(5×108光年-2.5×108光年)÷(2×10７光年)＝12.5個存在します。
5×108光年から1.25×109光年までの間には、直径5×10７光年の泡構造が、(1.25×109光年-5×108光年)÷(5×10７光年)＝15個存在します。
1.25×109光年から2.5×109光年までの間には、直径108光年の泡構造が、(2.5×109光年-1.25×109光年)÷(108光年)＝12.5個存在します。
2.5×109光年から5×109光年までの間には、直径2×108光年の泡構造が、(5×109光年-2.5×109光年)÷(2×108光年)＝12.5個存在します。
それで、宇宙の中心のブラックホールからから5×109光年までの間には、泡構造が、12.5個×6＋15個×3＝120個、です。
半径、5.669×109光年の円に存在する泡構造数は、πｒ2＝3.14×(120)2＝4.5216×104個、です。
まとめて表に示す。
表７
2015220895.tif 000009
１９．    もし、宇宙の原子数が、1.0765×1079個＝8.975×1021太陽質量である場合、１段の円に、4.5216×104個の泡構造を持つ円は何段であるか。
私は、2009年9月19日に提出した、特願2009−218192、に於いて、ビッグバンの以前の電子のラブのエネルギーがaJである場合、宇宙の原子数は、1.0765×1079×a6個である。ビッグバンの以前の電子のラブのエネルギーが1Jである場合、宇宙の原子数は、1.0765×1079個＝8.975×1021太陽質量である、と記した。
ｘ段であるとする。
１個の泡構造のブラックホールの質量は、6.194×1010太陽質量である。宇宙の中心のブラックホールの質量は2.627×1013太陽質量です。
１太陽質量のブラックホールを作るために必要な質量は、9.458×105倍の質量。
ｘ段×4.5216×104個の泡構造×１個の泡構造のブラックホールの質量は、6.194×1010太陽質量×9.458×105倍の質量＋2.627×1013太陽質量＝8.975×1021太陽質量
ｘ段×2.649×1021太陽質量＋2.627×1013太陽質量＝8.975×1021太陽質量
ｘ段＝8.975×1021太陽質量÷(2.649×1021太陽質量)＝3.388段
よって、もし、宇宙の原子数は、1.0765×1079個＝8.975×1021太陽質量である場合、１段の円に、4.335×104個の泡構造を持つ円は3.533段である。
この事を表に示す。
表８
2015220895.tif 000010
・この場合の問題点。
これは、宇宙の半径を5×109光年としている。
宇宙の半径が5×109光年より大きければ円に存在する泡構造数は多くなる。
もしかしたら、何重段に重なっているのかもしれない。
２０．    私は、宇宙の中心のブラックホールから地球までの距離を、銀河系とアンドロメダの速度が3×102Kmであることから、5.669×109光年と考えた。又、U1.27の大クエーサー群のことから、142×108光年と考えた。そして、今回、139×108光年と考えた。宇宙の時代を、電子のラブの公転軌道で表現するとき、どのように表現するべきか。
2014年3月15日に提出した、特願2014−052829、「ブラックホールとブラックホールのジェットが作る軌道と速度」の「請求項２」に次のように記した。
宇宙の中心のブラックホールから地球までの距離を、142×108光年とする。これを10-14m時代の距離とする。10−16m時代、10−17m時代の軌道半径はいくらか。
10-14m時代の軌道半径は142×108光年です。
10-15m時代の軌道半径は14.2×108光年です。
10-16m時代の軌道半径は1.42×108光年です。
10-17m時代の軌道半径は1.42×107光年です。
これを訂正する。
10-14m時代の軌道半径は100×108光年です。1010年代です。
10-15m時代の軌道半径は10×108光年です。109年代です。
10-16m時代の軌道半径は1×108光年です。108年代です。
10-17m時代の軌道半径は1×107光年です。107年代です。
【産業上の利用可能性】
【０００９】
産業の躍進はよく思考する事により得られる。宇宙の謎を解くことは思考力を養う。よって、産業上の利用可能性は思考力の強化です。
【符号の説明】
【００１０】
１    ビッグバンのおきた点をｃとする
２    宇宙の中心のブラックホールは走る
３    宇宙の中心のブラックホールは現代、ｄ点に存在する
４    地球であるe点
５    軌道半径5.669×109光年
６    142.066×１08光年
７    θ＝23.4875度
８    130.360×108光年
９    宇宙の中心のブラックホールからから軌道半径5×109光年までの間には、泡構造が、12.5個×6＋15個×3＝120個
１０    半径、5.669×109光年の円に存在する泡構造数は、πｒ2＝3.14×(120)2＝4.5216×104個
１１    時間の比は、10−14m時代：10−15m時代：10―16m時代：10−17m時代：10−18m時代：10−19m時代：10−20m時代＝1010年：109年：108年：107年：106年：105年：104年
それで、1010年を10cmとしますと、10 cm：1 cm：１mm：10−1  mm：10−2 mm：10−3  mm：10−4 mm、です。
１２      空間の比は、10−14m時代：10−15m時代：10―16m時代：10−17m時代：10−18m時代：10−19m時代：10−20m時代＝1010光年：109光年：108光年：107光年：106光年：105光年：104光年、です。
それで、1010光年を10 cmとしますと、10 cm：１cm：１mm：10−1 mm：10−2  mm：10−3 mm：10−4  mm、です。
１３    宇宙の中心のブラックホールが進んだ距離を直線とする。
１４    宇宙の中心のブラックホール
１５    10−17m時代の宇宙、10−18m時代の宇宙、10−19m時代の宇宙、10−20m時代の宇宙
１６    10−17m時代の宇宙、10−18m時代の宇宙、10−19m時代の宇宙、10−20m時代の宇宙は、0.05555mm進み直径0.1111mmの宇宙になる。
１７    10―16m時代の宇宙
１８    10―16m時代の宇宙は、0.5mm進み、直径1mmの宇宙になる。
１９    10−15m時代の宇宙
２０    10−15m時代の宇宙は、0.5cm進み、直径1cmの宇宙になる。
２１    半径1.25×109光年の宇宙
２２    1.25cm進んで、半径1.25cmの宇宙ができる。
２３    半径2.5×109光年の宇宙
２４    2.5cm進み、半径2.5cmの宇宙ができる。
２５    半径5×109光年の宇宙
２６    5センチ進み、半径5センチの宇宙ができる。
２７    宇宙が進んでできた形
この図は、1010光年：10cm＝1010×9.46×1012×103×102：10＝9.46×1026：１、の縮図です。
【図１】
2015220895.tif 000014
【図２】
2015220895.tif 000015
【図３】
2015220895.tif 000016